(57)【特許請求の範囲】
【請求項１】
高温部は高温室、ヒータ、高温再生器、高温側ラジエータ及び高温側中温室、低温部は低温側中温室、低温側ラジエータ、低温再生器、クーラ及び低温室から構成され、これらの間にあるパワー室によって両者は結合され、クランク室を含めた密封構造として形成され、前記高温部がディスプレーサタイプのクーク・ヤーボロフサイクル機関において、前記高温部と前記パワー室との連結部を遮断バルブ等の遮断機構を用いて遮断可能にし、前記連結部を遮断したときは前記低温部と前記パワー室とからなるスターリング機関として作動するようにしたことを特徴とするクーク・ヤーボロフサイクル機関。
【請求項２】
高温部は高温室、ヒータ、高温再生器、高温側ラジエータ及び高温側中温室、低温部は低温側中温室、低温側ラジエータ、低温再生器、クーラ及び低温室から構成され、これらの間にあるパワー室によって両者は結合され、クランク室を含めた密封構造として形成され、前記高温部がピストンタイプのクーク・ヤーボロフサイクル機関において、前記高温部と前記パワー室との連結部を遮断バルブ等の遮断機構を用いて遮断可能にし、前記連結部を遮断したときは前記低温部と前記パワー室とからなるスターリング機関として作動するようにしたことを特徴とするクーク・ヤーボロフサイクル機関。
【請求項３】
請求項２記載のクーク・ヤーボロフサイクル機関において、前記高温部と前記クランク室とを連結させるための配管及びその連結部を遮断可能にする遮断バルブ等の遮断機構を有することを特徴とするクーク・ヤーボロフサイクル機関。
【発明の詳細な説明】
【０００１】
【産業上の利用分野】
本発明は空調機器、冷凍機器に用いられるクーク・ヤーボロフサイクル機関に関する。
【０００２】
【従来の技術】
クーク・ヤーボロフサイクル機関（Ｃｏｏｋｅ‐Ｙａｒｂｏｒｏｕｇｈ  ｃｙｃｌｅ  ｍａｃｈｉｎｅｓ、略してＣＹ機関）は、クーク・ヤーボロフによって提唱された３熱源間で動作する外燃式再生サイクル機関であり、スターリングサイクル機関（Ｓｔｉｒｌｉｎｇ  ｃｙｃｌｅ  ｍａｃｈｉ−ｎｅｓ、略してＳＴ機関）やヴィルミエサイクル機関（Ｖｕｉｌｌｅｕｍｉｅｒ  ｃｙｃｌｅ  ｍａｃｈｉｎ−ｅｓ、略してＶＭ機関）と同様に、エネルギ問題や地球環境問題の解決に貢献し得るクリーンで高効率な熱機関として空調機器や冷凍機器の分野での実用化が期待されている。
ＣＹ機関は、形式的には圧縮空間を共有することによって二つのＳＴ機関を結合したもので、ＶＭ機関と同様に、高温熱源からの熱入力により中温熱源への放熱と低温熱源からの吸熱を生じ、ヒートポンプ或は冷凍機として作動する。
ＣＹ機関は、結合するＳＴ機関の形式によって３ピストン形、２ピストン・１ディスプレーサ形及び１ピストン・２ディスプレーサ形に分類されるが、いずれの形式においても、膨張仕事を行う高温室と低温室の容積が同位相で変化することが仮定されている。
【０００３】
図３は従来のクーク・ヤーボロフサイクル機関（ＣＹ機関）の基本構造の線図的構成図である。
図３に示すものは１ピストン・２ディスプレーサ形ＣＹ機関である。
図３に示すように、高温部は高温室１、ヒータ２、高温再生器３、高温側ラジェータ４及び高温側中温室５、低温部は低温側中温室６、低温側ラジェータ７、低温再生器８、クーラ９及び低温室１０から構成され、これらの間にあるパワー室１１によって両者は結合されている。
ここで、Ｑｈはヒータ熱入力、ＱＲｈ、ＱＲｌはラジェータ放熱量、ＱＣはクーラ吸熱量を表している。
主要な構成要素であるヒータ２、ラジェータ４、７、クーラ９及び再生器３、８は次のような構造を有している。
ヒータ２は一般的な細管からなり、クーラ９とラジェータ４、７は、内フィン付き細管を用いたシェル・アンド・チューブ式の熱交換器とされている。高温再生器３及び低温再生器８には焼結メッシュを蓄熱材として用いている。高温ディスプレーサ１２及び低温ディスプレーサ１３を対向配置とし、両ディスプレーサの寸法を同一にすることによって、駆動系のバランスをとり、運転時の振動抑制を図った。パワーピストン１４の位相は高温及び低温ディスプレーサに対して適切な位相差をもっている。これらの駆動系は無潤滑で動作することも可能である。
【０００４】
【発明が解決しようとする課題】
ところが、図３に示される従来のクーク・ヤーボロフサイクル機関（ＣＹ機関）では、スターリングサイクル機関（ＳＴ機関）への構造的な分離ができないため、ＣＹ機関の特徴を有効に利用していないという問題があった。
【０００５】
【課題を解決するための手段】
本発明は、上述の問題を解決するために、
第１の発明として、
高温部は高温室、ヒータ、高温再生器、高温側ラジエータ及び高温側中温室、低温部は低温側中温室、低温側ラジエータ、低温再生器、クーラ及び低温室から構成され、これらの間にあるパワー室によって両者は結合され、クランク室を含めた密封構造として形成され、前記高温部がディスプレーサタイプのクーク・ヤーボロフサイクル機関において、前記高温部と前記パワー室との連結部を遮断バルブ等の遮断機構を用いて遮断可能にし、前記連結部を遮断したときは前記低温部と前記パワー室とからなるスターリング機関として作動するようにしたことを特徴とするクーク・ヤーボロフサイクル機関を提供し、
第２の発明として、
高温部は高温室、ヒータ、高温再生器、高温側ラジエータ及び高温側中温室、低温部は低温側中温室、低温側ラジエータ、低温再生器、クーラ及び低温室から構成され、これらの間にあるパワー室によって両者は結合され、クランク室を含めた密封構造として形成され、前記高温部がピストンタイプのクーク・ヤーボロフサイクル機関において、前記高温部と前記パワー室との連結部を遮断バルブ等の遮断機構を用いて遮断可能にし、前記連結部を遮断したときは前記低温部と前記パワー室とからなるスターリング機関として作動するようにしたことを特徴とするクーク・ヤーボロフサイクル機関を提供し、
第３の発明として、
前記第２の発明のクーク・ヤーボロフサイクル機関において、前記高温部と前記クランク室とを連結させるための配管及びその連結部を遮断可能にする遮断バルブ等の遮断機構を有することを特徴とするクーク・ヤーボロフサイクル機関を提供しようとするものである。
【０００６】
【作用】
第１乃至第３の発明によれば、クーク・ヤーボロフサイクル機関をスターリング冷凍機として例えば電動モータ等の外部駆動により動作させることができるため、外燃機関として、又、外部駆動として利用できるヒートポンプ或は冷凍機が可能となる。
即ち、スターリング機関のみで動作可能とすることによって、太陽熱等の外部熱源を補助的に用い、主動力源を電動モータとするハイブリッド駆動方式による機器を開発できる。
【０００７】
【実施例】
以下、本発明によるクーク・ヤーボロフサイクル機関の実施例について図１乃至図２を参照して説明する。
図１は本発明によるクーク・ヤーボロフサイクル機関の第１実施例の線図的構造図であり、図２は本発明によるクーク・ヤーボロフサイクル機関の第２実施例の線図的構造図である。
図１及び図２において図３と共通のものには同一の符号を付し、その説明は省略する。
第１実施例：
第１実施例は第１の発明に対応するものであり、図１に示されるように、高温部は高温室１、ヒータ２、高温再生器３、高温側ラジエータ４及び高温側中温室５、低温部は低温側中温室６、低温側ラジエータ７、低温再生器８、クーラ９及び低温室１０から構成され、これらの間にあるパワー室１１によって両者は結合され、前記パワー室１１を除く各構成要素は水平配置された１ピストン、２ディスプレーサ形のもので、前記高温部が高温ディスプレーサ１２を含むディスプレーサタイプのクーク・ヤーボロフサイクル機関におけるものである。
前記パワー室１１の下方にクランク室２０が設けられ、前記高温部と前記パワー室１１との連結部を遮断バルブ２１等の遮断機構を用いて遮断可能にし、前記連結部を遮断したときは前記低温部と前記パワー室１１とからなるスターリング機関として作動するようにした。
１３は低温ディスプレーサである。
第２実施例：
第２実施例は第２の発明に対応するものであり、図２に示されるように、高温部は高温室１、ヒータ２、高温再生器３、高温側ラジエータ４及び高温側中温室５、低温部は低温側中温室６、低温側ラジエータ７、低温再生器８、クーラ９及び低温室１０から構成され、これらの間にあるパワー室１１によって両者は結合され、前記パワー室１１を除く各構成要素は水平配置された３ピストン形のもので、前記高温部が高温ピストン１２ａを含むピストンタイプのクーク・ヤーボロフサイクル機関におけるものである。
前記パワー室１１の下方にクランク室３０が設けられ、前記高温部と前記パワー室１１との連結部を遮断バルブ３１等の遮断機構を用いて遮断可能にし、前記連結部を遮断したときは前記低温部と前記パワー室１１とからなるスターリング機関として作動するようにした。
１３ａは低温ピストンである。
第３実施例：
第３実施例は第３の発明に対応するもので、図２に示されるように、第２実施例のクーク・ヤーボロフサイクル機関において、更に、前記高温部と前記クランク室３０とを連結させるための配管及びその連結部を遮断可能にする遮断バルブ３２等の遮断機構を設ける。
図２に示されるように遮断バルブ３１、３２を設け、遮断バルブ３１を開、遮断バルブ３２を閉とすればＣＹ機関となり、遮断バルブ３１を閉、遮断バルブ３２を開とすればＳＴ機関となる。
【０００８】
【発明の効果】
本発明によるクーク・ヤーボロフサイクル機関は、上述のように構成されているので、第１乃至第３の発明によれば、クーク・ヤーボロフサイクル機関をスターリング冷凍機として例えば電動モータ等の外部駆動により動作させることができるため、外燃機関として、又、外部駆動として利用できるヒートポンプ或は冷凍機が可能となる。
【図面の簡単な説明】
【図１】本発明によるクーク・ヤーボロフサイクル機関の第１実施例の線図的構造図である。
【図２】本発明によるクーク・ヤーボロフサイクル機関の第２実施例及び第３実施例の線図的構造図である。
【図３】従来のクーク・ヤーボロフサイクル機関の基本構造の線図的構成図である。
【符号の説明】
１：高温室
２：ヒータ
３：高温再生器
４：高温側ラジェータ
５：高温側中温室
６：低温側中温室
７：低温側ラジェータ
８：低温再生器
９：クーラ
１０：低温室
１１：パワー室
１２：高温ディスプレーサ
１３：低温ディスプレーサ
１４：パワーピストン
２０：クランクルーム
２１：遮断バルブ
３１：遮断バルブ
３２：遮断バルブ
【図１】
0003609469.tif 000002
【図２】
0003609469.tif 000003
【図３】
0003609469.tif 000004